Podtech/llm-jp-corpus-v4-ja_patent huggingface dataset:
(57)【要約】      （修正有）【課題】洋服を折り畳む用具において、折り畳み部分の間隙および縁や角の鋭利な箇所を無くし、指を挟むなど怪我の危険性を排除し、かつ折り畳みやすさを実現する洋服折り畳みボードを提供する。【解決手段】本体１を一体式としたので、折り畳み部分２に間隙が無く指を挟む危険性は排除され、また、縁部分３は本体を折り曲げ接着することで鋭利な断面の露出を防ぎ、角の部分４は丸く形成し滑らかにすることで、それぞれ安全性を確保し、かつ、折り畳み部分２は裏側より本体の厚みの約半分の深さまで切り込みを入れることにより折り畳みやすさを実現するものとした。【選択図】図１
0003209406.tif 000002
【実用新案登録請求の範囲】
【請求項１】
連結部を設けずに一体式とすることで折り畳み部分の間隙を無くし、かつ、折り畳み部分は裏側に本体の厚みの約半分の深さまで切り込みを入れて折り畳みやすくしたことを特徴とする洋服折り畳みボード。
【請求項２】
左辺、右辺および下辺は縁部分を折り返して鋭利な断面を無くし、かつ、四隅の角を丸く形成したことを特徴とする請求項１記載の洋服折り畳みボード。
【考案の詳細な説明】
【技術分野】
【０００１】  本考案は、洋服を置いて倒す動作を繰り返すだけで、幼児・児童でもきれいに洋服が折り畳めるボードに関するものである。
【背景技術】
【０００２】  従来の洋服折り畳み用具は、折り畳みやすさを追求するため折り畳み部分が連結式であった。しかし、連結式のため折り畳み部分の間隙に指を挟む怪我の危険性があった。またボードの縁や四隅の角の部分での怪我の危険性も考えられた。特に幼児・児童には安全性で負担となるものであった。
【考案の概要】
【考案が解決しようとする課題】
【０００３】  解決しようとする問題点は、幼児・児童が使用中に指を挟む怪我の危険性およびボードの縁や角部分での怪我の危険性を排除し、かつ折り畳みやすさを確保することである。
【課題を解決するための手段】
【０００４】  本考案は、連結部を設けずに一体式とすることで折り畳み部分の間隙を無くし、折り畳み部分は本体の厚みの約半分の深さまで裏側に切り込みを入れて折り畳みやすくし、さらに、左右および下辺は縁部分を折り返して鋭利な断面を無くし、かつ、四隅の角を丸く形成したことにより問題点を解決した。
【考案の効果】
【０００５】  上述の様に、本考案の洋服折り畳みボードは一体式としたので、折り畳み部分に間隙が無く指を挟む危険性は排除され、また、縁部分の折り返し処理や四隅の角部分を丸く滑らかに形成したことにより鋭利な断面および箇所が無く、幼児・児童においても安全に使用できる。
【図面の簡単な説明】
【０００６】
【図１】本考案の洋服折り畳みボードの一実施例を示す正面図である。
【図２】本考案の洋服折り畳みボードの一実施例を示す裏面図である。
【考案を実施するための形態】
【０００７】  洋服折り畳みボードの本体はダンボール製であり、洋服を中央に置き、本体１を折り畳み部分２で右、左、下と順番に折り曲げ元に戻すことを繰り返して洋服を折り畳む。折り畳み部分は連結部の無い一体式として間隙を設けないことで安全性を確保し、かつ、本体の厚みの約半分の深さまで裏面に切り込みを入れたことにより折り曲げは容易となる。また、右、左、下の各辺縁部分３は本体を折り曲げ接着することで、鋭利な断面の露出を防いでいる。さらに、四隅の角部分４は丸く形成し滑らかにすることで使用者の安全性が確保される。
【実施例１】
【０００８】  図１は、本考案の洋服折り畳みボードの一実施例を示す正面図であって、１はダンボール製の本体、２は折り畳み部分で、正面側は連結部分の無い一体式であるが、裏側より本体の厚みの約半分の深さまで切り込みが入れられていることにより折り曲げは容易である。３は本体を折り曲げ接着した縁部分である。４は丸みを付け滑らかにした四隅の角部分である。また、１、２、４は、図２と同様である。【０００９】  図２は、本考案の洋服折り畳みボードの一実施例を示す裏面図であって、折り畳み部分２はこの裏面側から本体の厚みの約半分の深さまで切り込みを入れることで、折り曲げの容易さを実現している。
【符号の説明】
【００１０】１  洋服折り畳みボード本体
２  折り畳み部分
３  縁部分
４  角部分
【図１】
0003209406.tif 000003
【図２】
0003209406.tif 000004
(57)【要約】      （修正有）【課題】卓上に設置して小スペースで様々な使い方が可能な置物台を提供する。【解決手段】左右一対の主脚１と、主脚の上端側後方に連結され、主脚に対して前後方向に変位可能な支え棒５と、一対の主脚の前面下側に位置して横方向に架設した下部置棚６とからなる。一対の主脚の間に支持棒３を配設し、主脚の前側に位置して支持棒に上部置棚７を挿脱可能に設けると良い。組み立て式でコンパクトなので狭いスペースでも載置することが出来る。【選択図】図６
0003209407.tif 000002
【実用新案登録請求の範囲】
【請求項１】
左右一対の主脚と、該主脚の上端側後方に連結され、主脚に対して前後方向に変位可能な支え棒と、前記一対の主脚の前面下側に位置して横方向に架設した下部置棚とから構成してなる卓上置物台。
【請求項２】
前記一対の主脚の間に支持棒を配設し、前記主脚の前側に位置して該支持棒に上部置棚を挿脱可能に設けてあることを特徴とする請求項１記載の卓上置物台。
【考案の詳細な説明】
【技術分野】
【０００１】  本考案は卓上に設置し、小スペースで色々用途に応じて種々の物を置く事が出来る卓上置物台に関するものである。
【背景技術】
【０００２】  従来、例えば供花、供物台は大きいので広い置き場所が必要であった。
【先行技術文献】
【特許文献】
【０００３】
【特許文献１】特開  ２０１１−１１０６０号  公報
【考案の概要】
【考案が解決しようとする課題】
【０００４】  従来の置物台は大きく広い設置場所が必要であることから、小型の置物台で卓上に置いても十分使用目的を達することが出来るものが求められている。しかし、卓上型の置物台はこれまで提案されていない。【０００５】  本考案は上述した従来技術の未解決の問題点に鑑みなされたもので、卓上に設置して例えば祭壇、掲示板、小物置台、化粧台など、様々な使い方が可能な卓上物置台を提供することを目的とする。
【課題を解決するための手段】
【０００６】  上述した課題を解決するために構成した請求項１にかかる本考案の手段は、左右一対の主脚と、該主脚の上端側後方に連結され、主脚に対して前後方向に変位可能な支え棒と、前記一対の主脚の前面下側に位置して横方向に架設した下部置棚とからなる。【０００７】  そして、前記一対の主脚の間に支持棒を配設し、前記主脚の前側に位置して該支持棒に上部置棚を挿脱可能に設けると良い。
【考案の効果】
【０００８】  本考案は、上記の如く構成したから下記の諸効果を奏する。
（１）狭い場所でも載置することが出来る。
（２）下部置棚には用途に応じて、色々な物を置く事ができる。
（３）品物を設置した状態でも簡単に移動することが出来る。
（４）上部置棚が挿脱可能なので用途に応じた置棚に取り換えることが出来る。
（５）上部置棚は挿脱可能なので使用しない時の格納スペースが少なくてよい。
（６）挿脱可能なので梱包、運搬が容易である
【図面の簡単な説明】
【０００９】
【図１】日本考案の実施の形態に係る卓上置物台の正面図である。
【図２】卓上置物台の斜視図である。
【図３】卓上置物台の背面図である。
【図４】卓上置物台の組み立て前の主脚の正面図である。
【図５】上部置棚の背面図である。
【図６】使用例の斜視図である。
【考案を実施するための形態】
【００１０】  図に基づいて本考案の実施の形態について説明する。１、１は一対の主脚で、該一対の主脚１、１は上段側で連結材２によりハの字状にビス止めされている。３は主脚１，１の中間に位置して連結材２にビス止めされた支持棒で、支持棒３の裏面の中央に連結片４が設けてある。５は一対の主脚１、１を支える支え棒で、該支え棒５は上端側で連結片４に回動可能に連結されている。支え棒５は、主脚１、１を斜め後方に傾斜した状態で支持している。
【００１１】  ６は下部置棚で、該下部置棚６はハの字状にビス止めされた一対の主脚１，１の前面下側に横方向に架設しビス止めしてある。下部置棚６は横長の置物板部６Ａと置物板部６Ａの前端に立設した支え板部６Ｂとから構成してある。７は主脚１，１の前側に位置して支持棒５の上部側にて挿脱可能に設けた上部置棚を示す。該上部置棚７は略半円形の受け板部７Ａと、該受け板部７Ａの下端に前側に突設した倒置Ｌ字状の押さえ板部７Ｂと受け板部７Ａの裏面に設けた支持棒係合部７Ｃとから構成してある。
【００１２】  本実施の形態からなる卓上置物台は上述の構成からなる。次にその使い方を説明する。使用時には、支持棒を後方に開いて主脚を支える。次に上部置棚７を支持棒３に差し込むことにより組み立てが完了する。使用用途に応じて種々の品物を置いたり、飾ったりする。使用後は組み立て時と逆の手順で分解する。
【符号の説明】
【００１３】  １    主脚
２    連結材
３    支持棒
４    連結片
５    支え棒
６    下部置棚
６Ａ  置物板部
６Ｂ  支え板部
７    上部置棚
７Ａ  受け板部
７Ｂ  押さえ板部
７Ｃ  支持棒係合部
【図１】
0003209407.tif 000003
【図２】
0003209407.tif 000004
【図３】
0003209407.tif 000005
【図４】
0003209407.tif 000006
【図５】
0003209407.tif 000007
【図６】
0003209407.tif 000008
(57)【要約】      （修正有）【課題】スマホの落下を防止するスマホ用胸ポケットを備えたシャツを提供する。【解決手段】シャツなどの胸ポケットにスマホを入れるため、ポケット１の大きさを縦横ともにスマホより少し大きくし上の開口部にホック２、マグネットホック、ファスナー又は、面ファスナーを取り付け、スマホが落ちないようにした。【選択図】図１
0003209479.tif 000002
【実用新案登録請求の範囲】
【請求項１】
ワイシャツ、柄シャツなどの胸ポケットにスマホを入れるため、ポケットの丈をスマホの長さより大きくし上のほうにホック、マグネットホック、ファスナー又は、マジックテープを取り付けスマホが落ちないようにポケットを加工する。
【考案の詳細な説明】
【技術分野】
【０００１】本校案は、ワイシャツの胸ポケットにマグネットホック、又はファスナーを付け、スマホの落下を防止するものである。
【背景技術】
【０００２】ワイシャツの胸ポケットにスマホを入れておくと下を向いて屈んだ時などスマホを落としてしまい、紛失、故障、水没などに繋がる。
【先行技術文献】
【特許文献】
【０００３】
【特許文献１】実願２００９−４９７０公報
【考案の概要】
【考案が解決しようとする課題】
【０００４】夏などは暑いので、ワイシャツだけのことが多い、そのためシャツの胸ポケットにスマホを入れると浅いため安定性が悪く落としたりする事がある。又ズボンのポケットにスマホを入れておくと、座った時などに違和感があり、飛び出して落としたりすることがある。またズボンのスマホ用の内ポケットは入れにくいなどの難点がある。
【課題を解決するための手段】
【０００５】本校案は、ワイシャツの胸ポケットをスマホが入るように丈を長くして落下を防止するため、上のほうにホック又はマグネットホックを取り付け簡単には飛び出さないようにする。
【考案の効果】
【０００６】上述の様に、胸ポケットにホックなどを取り付ける事によりスマホの落下を防止することができる。ホックはポケットの内側の折り返した所に縫い付けるので、見た目もスッキリした感じで違和感もない。またホックを外すだけなのでスマホを取り出したり入れたりするのも簡単に出来る。
【図面の簡単な説明】
【０００７】
【図１】スマホ用胸ポケットの実施方法を示す正面図である。
【図２】ファスナーを用いた実施方法を示す正面図である。
【考案を実施するための形態】
【０００８】スマホ用に加工した深めのポケットの中にスマホを入れ、ホック又はファスナーを閉じる事によりスマホの落下を防止することが出来る。
【実施例】
【０００９】以下、添付図面に従って実施例を説明する。図１の１はワイシャツにある胸ポケット、２はポケット上部のホック、又はマグネットホックである。胸ポケットの位置にスマホが入る長さと、ホックの大きさの二倍強のポケット生地を用意して、ホック部分の最初の折り返しの内側にボッチが付いた方のホックを縫い付ける、これはポケット表面に縫い代が出ないためである。受けのホックはワイシャツのポケットの位置の上のほうに縫い付け、受けとボッチが合わさるようにする。位置が決まったらポケットの生地を縫い合わせる。【００１０】図２の３は胸ポケットのファスナーであり、ファスナーの取り付け位置に切り込みを入れ、ファスナーを縫い合わせ表ポケットにしる。従来の浅い表ポケットの裏に、スマホ用の深めの裏ポケットを作る。
【産業上の利用可能性】
【００１１】ホック又は、ファスナーを用いることにより重量のあるスマホの落下を防ぐことが出来る。
【符号の説明】
【００１２】１  スマホを入れるためのポケット
２  ホック
３  ファスナー
【図１】
0003209479.tif 000003
【図２】
0003209479.tif 000004
【手続補正書】
【提出日】平成29年1月12日(2017.1.12)
【手続補正１】
【補正対象書類名】実用新案登録請求の範囲
【補正対象項目名】全文
【補正方法】変更
【補正の内容】
【実用新案登録請求の範囲】
【請求項１】
シャツなどの胸ポケットにスマホを入れるため、ポケットの大きさを縦横ともにスマホより少し大きくし上の開口部にホック、マグネットホック、ファスナー又は、面ファスナーを取り付け、スマホが落ちないようにしたことを特徴とした、ポケットの形状を有するスマホ用胸ポケットを備えたシャツ。
(57)【要約】      （修正有）【課題】滑走面にワックスを塗った際に、ワックスを圧着するためのフェルトを、ブラシやコルクに取り外し可能な状態で貼り付ける固定型着脱式フェルトを提供する。【解決手段】面ファスナー２の下面をブラシ３やコルク側面に接着させその面ファスナー２上面にフエルト１が装着された構造であり、フエルト１を取り外し可能に形成された。【選択図】図２
0003209475.tif 000002
【実用新案登録請求の範囲】
【請求項１】
面ファスナーの下面（裏）をブラシやコルク側面に固定（接着）させその面ファスナー上面（フック状）にフエルトが装着された構造であり、フエルト取り外し可能な手段にて形成されたことを特徴とする固定型着脱式フエルト。
【考案の詳細な説明】
【技術分野】
【０００１】    本考案はスキー・スノーボードの滑走面にワックスを塗った際、ワックスを圧着させるためのフエルトを、ブラシやコルクに取り外し可能な状態で貼り付ける構成に関わる。
【背景技術】
【０００２】従来、ブラシやコルクに取り付けられているフエルトは、本体の背面に接着され取り外しの効かない一体型である。（非特許文献１）
【先行技術文献】
【非特許文献】
【０００４】
【非特許文献１】スウィックス  スポーツジャパン（株）Ｔ００２３  ワックスポリシャー
Ｔ０１６６Ｂ  コンビミニブラシ
【考案の概要】
【考案が解決しようとする課題】
【０００５】しかしながら、非特許文献１記載のブラシやコルクでは、フエルトや発砲材は接着され固定されているため交換することができず、繰返し使用し擦り切れる等の支障があった際は、本体とは別にフエルトを持たなければならず、利用者にとっては不便である。【０００６】フエルトは固定され、取り外しできない為、１つを使いまわすことになり多種のワックスに使用することでフエルトや発砲材を介して、他の板に選択していないワックスを塗ってしまう危険性がある。これを解決するためには複数の非特許文献１を持たなければならないが、作業効率や持ち運びの面から考えても、購買意欲を喚起するに至らない。
【課題を解決するための手段】
【０００７】この考案の着脱式フエルトの構造は、コルクやブラシ背面に、本体と同じサイズの面ファスナーを接着し固定する。この固定された面ファスナーにフエルトを貼り付ける。【０００８】フエルト部分は取り外しが可能となる。
【考案の効果】
【０００９】以下に、その構造を説明するが、本考案を実施するにあたり、固定型着脱式フエルトを固定する対象は、ここでいうブラシやコルクに限定されるものではない。【００１０】本考案のワクシング用着脱式フエルトの構造によれば、面ファスナーを本体に固定することで、フエルトの交換を繰返しながら使い続けることができ利便性がよい。【００１１】フエルトを交換しながら使用することで、ワックスを滑走面（ソール）に圧着させる際に、フエルトを介して他の滑走面に選択していないワックスが付着する恐れを防ぐことができる。【００１２】本体に固定した面ファスナーのフック面に貼り付けたフエルトは、ワックス圧着の際に力が加わっても剥がれにくい構造で作業効率に優れる。【００１３】替え用のフエルトがあることで、商品の付加価値を高め、購買意欲を喚起することになり、近年使用者が減り消費の落ち込んでいるワックスやワクシング用具の拡販に資することができる。
【図面の簡単な説明】
【図１】本案の固定型着脱式フエルトを固定させた一例を示す斜視図。
【図２】本案の固定型着脱式フエルトをブラシに固定した際の断面図である。
【図３】本案の固定型着脱式フエルト上面図である。
【図４】本案の固定型着脱式フエルトを取り外した際の上面図である。１  フエルト  ２  面ファスナー  ３  ブラシ本体  ４  ブラシ毛部分
【考案を実施するための形態】
【００１４】以下、本願考案の好ましい実施の形態について、図面を参照しつつ具体的に説明する。
【００１５】図１は、本願考案である固定型着脱式フエルトに係るの一例を示す斜視図である。
図２は、図１の断面図である。図３は、図１に示す固定型着脱式フエルトのフエルト部分取り付けた状態の上面図である。図４は、図３に示すフエルトを固定された面ファスナー（２）より取り外した状態の上面図である。
【実施例】
【００１６】図１はワクシング用具の一例としてブラシの側面に固定した状態。
【産業上の利用可能性】
【００１７】この考案は、主にスキー・スノーボードの滑走面（ソール）にワックスを塗る際使用するブラシやコルク等の道具を改良し、ワックスを圧着させる際に使用するフエルトを面ファスナーを用いて着脱できる形態でこれらの道具に固定することで、フエルトを交換しながら繰り返し使用できる、実用的で付加価値の高い固定型着脱式フエルトを提供するものである。
【図１】
0003209475.tif 000003
【図２】
0003209475.tif 000004
【図３】
0003209475.tif 000005
【図４】
0003209475.tif 000006
(57)【要約】      （修正有）【課題】時間とエネルギーロスを改善でき、また、ガス式の衣類乾燥機のように工事をする必要もないマグネトロン式衣類乾燥機を提供する。【解決手段】衣類乾燥機の中にある発熱体としてマグネトロン８を用い、衣類に付着している水分子を振動させることで水分を加熱させ、衣類を乾燥させることができる。【選択図】図１
0003209477.tif 000002
【実用新案登録請求の範囲】
【請求項１】
マグネトロンから発せられるマイクロ波により水分子を振動させ、マイクロ波加熱により衣類を乾燥させるマグネトロン式衣類乾燥機。
【考案の詳細な説明】
【技術分野】
【０００１】  洗濯脱水後の衣類に残った水分子に直接働きかけ、より早く乾燥させることができる。
【背景技術】
【０００２】  従来の衣類乾燥機は、電気又はガスで得た熱を利用した熱風を濡れた衣類に吹き付けることで、水分を蒸発させることで衣類を乾燥させている。
【考案の概要】
【考案が解決しようとする課題】
【０００３】  従来の衣類乾燥機は、空気を暖めその熱風を水分を含む衣類に当て衣類を乾燥させるというのが、基本的過程といえる。これは熱源が直接衣類についている水分に作用しているのではないのでエネルギーロスを大きくすることにつながる。また、電気に比べて熱を直接得ることができるガスを使う方式の衣類乾燥機は、接地するのに工事を要するため面倒である。
【課題を解決する手段】
【０００４】  本考案物は、マグネトロン（図中の８）を利用することで、マグネトロンのアンテナ（図中の９）から発せられるマイクロ波が、衣類に付着する水分の水分子を振動させ、直接水分子を加熱することとなる。これにより従来品に比べエネルギーロスを減らすことにつながる。これにより、維持コスト、耐久性、使用時間の改善を行うことができる。
【考案の効果】
【０００５】  現在、早急にハンカチーフを洗濯し、それを乾かすのに自分自身電子レンジを使うことがある。紙皿の上に四つ折りにして乗せ、電子レンジに入れ５００ｗで加熱すると、２〜３分程度で乾燥する。
このことからもわかるように、内部をもっと効率よく多くの衣類を動かすことで、多くの衣類を短時間で、乾燥させることができる。
【図面の簡単な説明】
【０００６】
【図１】  マグネトロン式衣類乾燥機の側面からの断面図
【符号の説明】
【０００７】  １、衣類乾燥ドラム                ２、モーター
３、プーリー                      ４、ファンプーリー
５、両翼ファン                    ６、排気口
７、吸気口                        ８、マグネトロン
９、マグネトロンのアンテナ      １０、マイクロ波透過材
１１、マイクロ波反射材
【図１】
0003209477.tif 000003
【手続補正書】
【提出日】平成28年11月14日(2016.11.14)
【手続補正１】
【補正対象書類名】実用新案登録請求の範囲
【補正対象項目名】全文
【補正方法】変更
【補正の内容】
【実用新案登録請求の範囲】
【請求項１】
衣類乾燥機の中にある発熱体として従来ある電熱線またはガスの代わりにマグネトロンを用い、衣類に付着している水分子を振動させることで水分を加熱させ、衣類を乾燥させることができるマグネトロン式衣類乾燥機。
(57)【要約】      （修正有）【課題】上下の振り幅を変えることができる自動シャクリ釣具を提供する。【解決手段】平歯車６に複数のタップ穴４をあける事によりシャクリの振幅を複数にしたものを提供する。【選択図】図１
0003209478.tif 000002
【実用新案登録請求の範囲】
【請求項１】
【考案の詳細な説明】
【考案の詳細な説明】
シャクリの上下の振幅を変える為に平歯車にもうけられたリンクの取り付けのタップ穴を平歯車内側より平歯車外側の間に複数のタップ穴をあけリンクを止めてあるボルトを外し他のタップ穴にボルトで止める事で、リンクでつながった横棒が、上下しシャフトにつながり上下の振幅を変える自動シャクリ釣具。
【発明の詳細な説明】
この発明は、平歯車にタップ穴を増やすことで、シャクリの振幅を複数にしたものである。従来の自動シャクリ釣具は、ひとつの振幅しかできないので、効果が悪かった。ほん発明はその弱点を除く為、成されたものげす。
【図面の簡単な説明】
【図１】本考案の正面図である。
【符号の説明】（１）リンク
（２）平歯車外側
（３）ボルト
（４）タップ穴
（５）平歯車内側
（６）平歯車
【図１】
0003209478.tif 000003
【手続補正書】
【提出日】平成28年12月21日(2016.12.21)
【手続補正１】
【補正対象書類名】実用新案登録請求の範囲
【補正対象項目名】全文
【補正方法】変更
【補正の内容】
【実用新案登録請求の範囲】
【請求項１】
シャクリの上下の振幅を変える為に平歯車にもうけられたリンクの取り付けのタップ穴を平歯車内側より平歯車外側の間に複数のタップ穴をあけリンクを止めてあるボルトを外し他のタップ穴にボルトで止める事で、リンクでつながった横棒が、上下しシャフトにつながり上下の振幅を変える自動シャクリ釣具。
【手続補正２】
【補正対象書類名】明細書
【補正対象項目名】全文
【補正方法】変更
【補正の内容】
【考案の詳細な説明】
【技術分野】
【０００１】この考案は（６）にタップ穴（４）をふやすことで、自動シャクリ釣具の振幅を複数にした自動シャクリ釣具にかんするものである。
【考案の概要】
【考案が解決しようとする課題】
【０００２】従来、平歯車（６）に設けられたリンク（１）の取り付けのタップ穴（４）は、一か所だった。【０００３】これには、次のような欠点があった。
平歯車（６）に設けられたリンク（１）の取り付けのタップ穴（４）が一か所だったので、横棒が上下するのが一つの振幅しかできないので、効果が悪かった。
本考案は、この欠点を除く為になされたものである。
【課題を解決するための手段】
【０００４】平歯車（６）に平歯車内側（５）より平歯車外側（２）の間に複数のタップ穴（４）をあけリンク（１）を止めてあるボルト（３）を外し他のタップ穴（４）にボルト（３）で止めることで、リンク（１）でつながった横棒が上下しシャフトにつながり上下の振幅を変えれる自動シャクリ釣具．
【図面の簡単な説明】
【０００５】
【図１】本考案の正面図である。
【符号の説明】
【０００６】（１）  リンク
（２）  平歯車外側
（３）  ボルト
（４）  タップ穴
（５）  平歯車内側
（６）  平歯車
(57)【要約】      （修正有）【課題】市場の要求に応じて様々な形や大きさの花を加工し、アクセサリーパーツと一体化させたファッションパーツを提供する。【解決手段】乾燥させたお花３を粘着性と柔軟性のあるフィルム２で表裏より挟み込むことで、密封状態となり水分吸収によるカビ等劣化防止と型崩れを起こさず加工の容易さを得られる。これを切り抜き加工機等にて、任意の形、大きさに整えることで一体化するベース１の大きさを考慮に入れなくてもよくなる。切り抜かれたフィルム２に挟まれた花３をベース１となるアクセサリーパーツと樹脂のカバー４で一体化させる。【選択図】図２
0003209426.tif 000002
【実用新案登録請求の範囲】
【請求項１】
花を粘着・柔軟性を有するフィルムで表裏より挟み貼り合せ、任意の形・大きさに切り取り、ベースとなるアクセサリーパーツと樹脂で一体化させることを特徴とするファッションパーツ。
【考案の詳細な説明】
【技術分野】
【０００１】  本考案は花の大きさに係らず、任意の形・大きさに加工し、アクセリーパーツと一体化させる構造に関するものである。
【背景技術】
【０００２】  従来のアクセサリーパーツと一体化させる花は、土台となるアクセサリーパーツに入る程度の小さな押し花をそのまま使用する物がほとんどである。そのため、数種類の限られた花しか使用出来ないという大きな欠点があった。
【考案の概要】
【考案が解決しようとする課題】
【０００３】  本考案は上記の欠点を鑑み、市場の要求に応じて様々な形や大きさの花をアクセサリーパーツとして加工し、提供せんとする物である。
【課題を解決するための手段】
【０００４】  本考案は、花を粘着・柔軟性を有するフィルムで表裏より挟み貼り合せ、任意の形・大きさに切り取り、ベースとなるアクセサリーパーツと樹脂で一体化させることにより前述の欠点を解決しようとするものである。
【考案の効果】
【０００５】  本考案により、お花の形や大きさの制約が無くなり、ひまわりの様な大きな花等を水晶等の小さなアクセサリーパーツに封入することが出来る。この様にあらゆる花をあらゆるファッションパーツと組み合わせられ、バリエーションは無限となり、従来の限られたお花しか使用できなかった物と比べると、圧倒的に多彩なデザインを市場に提供することが出来る。
【図面の簡単な説明】
【０００６】
【図１】本考案の一つの実施形態様における側面断面図である。
【図２】本考案の一つの実施形態様における斜視図である。
【考案を実施するための形態】
【０００７】  花を粘着性と柔軟性のあるプラスティックフィルムに挟み込むことにより花の型崩れをなくし、そのうえで切り抜き加工機等にて任意の形・大きさに整える。この加工された花とベースとなるパーツを樹脂で一体化させることによって花を主体としたアクセサリーとなる。
【実施例】
【０００８】  図１において、ベース１はどの様な素材でも使用可能である。主に使用するものとして例えば、ガラス、プラスティック・石・陶器等を材料として用いる。
花３は、どの様な種類でも使用可能である。耐久性を考慮して、主に使用する物として、乾燥押し花、プリザーブドフラワー、ドライフラワーがあげられる。
フィルム２は透明で粘着性と柔軟性のあるものを用い、花３を両側から挟み込んだ後、切り抜き加工機等にて、任意の形、大きさに整える。
フィルム２に挟まれた花３をベース１とカバー４で一体化させる。
カバー４は粘着、柔軟性のあるプラスティックフィルム、あるいはプラスティックコーティングを用いる。プラスティックコーティングはどの様な種類でも使用可能であるが、使用の容易さの観点からエポキシ樹脂、ＵＶ樹脂等の合成樹脂を用いる。
【符号の説明】
【０００９】１：ベース
２：フィルム
３：花
４：カバー
【図１】
0003209426.tif 000003
【図２】
0003209426.tif 000004
(57)【要約】      （修正有）【課題】引戸にもドアにも共用できるうえ、取り付けが容易な、開けた後に自動で閉まる、施錠が不要な出入口に取り付けるペット用、工場用、畜舎用等のシート式扉を提供する。【解決手段】矩形シート１の両側辺のうちの一辺を柱、建枠、或いは、閉じ合わされる引き分け戸の一方の戸先に固定し、固定していないもう一方のシート１の側辺と向かい合う引戸の戸先、ドアの戸先、建枠等に隙間を塞ぐ風防２を取り付けて扉とする。【選択図】図１
0003209428.tif 000002
【実用新案登録請求の範囲】
【請求項１】
矩形シートの両側辺のうちの一辺を柱、建枠、或いは、閉じ合わされる引き分け戸の一方の戸先に固定し、固定していないもう一方のシートの側辺と向かい合う引戸、ドアの戸先、建枠等に隙間を塞ぐ風防を取り付けた扉。
【考案の詳細な説明】
【技術分野】
【０００１】  本考案は、シート式扉に関する。
【背景技術】
【０００２】  屋内用のペットの出入口としては、硬質な板材の下部に開口を設け、その開口に下向きのフラップゲートを取り付けた、引戸取り付け用とドア取り付け用の製品がある。【０００３】  引戸取り付け用の製品は、柱、建枠、鴨居等の不動物に、硬質な板材を壁の一部として固定する。【０００４】  ドア取り付け用の製品には、硬質な板材を戸先側の壁の一部と置き換えて固定する方式並びに半開きにしたドアの戸先と建枠等との隙間を硬質な板材で塞ぐ方式とがある。
【先行技術文献】
【０００５】
【特許文献１】特開２０１１−１４９２０６  公報
【０００６】
【特許文献２】特開２００２−１１５４６１  公報
【考案の概要】
【考案が解決しようとする課題】
【０００７】  引戸にもドアにも共用できて、取り付けが容易なペット用扉を提供する。【０００８】  工場等では、衛生・品質管理上、隣接する空間を遮断する必要性が生じた場所で、作業上両手が塞がった状態でも開閉できる自動ドアが設置されているが、本考案では、高度な気密性は不要であって、動線がしばしば変更される場合等に適した、移設が容易で、肘や腰で押し開けた後に自動で閉まる簡易な扉を提供する。【０００９】  畜舎の出入口にも、家畜自身が開けて通過した後に、自動で閉まる簡易な扉を提供する。【００１０】  可動物である引き分け戸にも取り付けられるペット用扉を提供する。
【課題を解決するための手段】
【００１１】  ドレープ性のある矩形シートの両側辺のうちの一辺を柱、建枠、或いは、閉じ合わされる引き分け戸の一方の戸先に固定し、固定していない側のシート下辺を捲り上げて出入りする扉とする。【００１２】  この状態で、シート上辺を鴨居等に固定することができずに、シート上辺が弛んで矩形を保持できない場合には、上辺と固定する側辺を繋ぐ直角の補強材を取り付ける。【００１３】  気密性を高めるために、固定していないシートの側辺と向かい合う引戸やドアの戸先に風防を取り付ける。【００１４】  風防を固定していないシートの側辺を挟む形状にすれば、固定していないシートの側辺が表裏のどちらかに捲れても、最終的には全てその風防に挟まれた状態に戻すことができる。【００１５】  なお、捲れないシート部分の材質を板と交換しても同様の効果を得ることができる。【００１６】  ドアへの取り付け時に、できるだけ気密性を高めたい場合には、ドアの上部と上枠との間にできる三角形の隙間に、蓋を取り付ける。
【考案の効果】
【００１７】  固定していないシートの側辺に向かい合う引戸の戸先、ドアの戸先、建枠等に取り付けた風防で隙間を塞ぐことで、気密性が向上する。【００１８】  部品数が少なく、構造も簡素なので、製造が容易なうえ、軽量である。【００１９】  軽量であるため、両面テープだけでも柱、建枠等への固定が容易であり、さらに、引き分け戸の戸先に取り付けても、引戸を滑らかに開閉することができる。【００２０】  一つの製品を、ドア用としても、引戸用としても、共用することができる。【００２１】  ペットを出入させたい住宅内の大部分の出入口に取り付け可能なので、飼い主がペットのために出入口迄行って、戸を開け閉めする労力が省け、さらに、冷暖房効果の維持や、害虫等の侵入も防止もできるうえ、ペットにとっても、行動範囲が広がるので、ストレス軽減になる。【００２２】  同様に畜舎への野鳥、害虫等の侵入防止や室温維持ができる。
【図面の簡単な説明】
【００２３】
【図１】本考案を４枚引き分け戸の中央部と端部に取り付けた正面図である。
【図２】本考案を取り付けたドアの斜視図である。
【図３】Ａ−Ａ断面図である。
【図４】Ｂ−Ｂ断面図である。
【図５】補強材取付詳細図である。
【考案を実施するための形態】
【００２４】  以下、図１〜図５を参照しながら、本考案によるシート式扉を実施するための形態の一例を詳細に説明する。
【００２５】  ゴム、ＥＶＡ等のドレープ性があるシート１を出入りするペット８の幅＋１０ｃｍ、鴨居４から敷居６迄の長さ＋６ｃｍの大きさに裁断する。
【００２６】  シート１を補強するために、建枠に取り付けるシート側辺を２ｃｍ幅で２回接着しながら折り返してシート側辺の補強部１２とし、同様にシート上辺を２ｃｍ幅で２回接着しながら折り返してシート上辺の補強部１３とする。
【００２７】  上辺と側辺の補強部分が重なる６ｃｍ四方の範囲は、折り返して接着する前に切除しておくことが望ましい。
【００２８】  重なりを切除した上辺及び側辺の両補強部分の断面に、シートの形状を保持するための補強材１４として直径２ｍｍの折り曲げ可能な針金を差し込む。
【００２９】  補強したシートの側辺１２を両面テープ、画鋲等で建枠に取り付け、敷居から１ｍｍ隙間をあけて、下方の余分なシートを切り取る。
【００３０】  風防２を取り付けることにより、シートを何れかの方向に９０°折り曲げれば、本考案を使用しない場合には、引戸やドアを閉めることが可能となる。
【００３１】  引戸の場合には、図３の風防２のように、風防の溝の内側に固定していないシートの側辺を挟むように引戸を閉める。
【００３２】  ドアの場合には、図４の風防２のように、補強材を曲げて角度を調整した固定していないシートの側辺を挟むようにドアを閉め、ドアストッパー等で固定してからドアの上部と上枠との間にできる三角形の隙間を塞ぐ蓋を取り付ける。
【００３３】
【産業上の利用可能性】
【００３４】  本考案により、取り付けが容易であって、開けた後で自然に閉まる、施錠が不要な出入口に取り付けるペット用、工場用、畜舎用等のシート式扉を提供する。
【符号の説明】
【００３５】  １  シート
２  風防
３  引戸
４  鴨居
５  柱
６  敷居
７  引手
８  出入りするペット
９    ドア
１０  建枠
１１  レバーハンドル
１２  シート側辺の補強部
１３  シート上辺の補強部
１４  補強材
【図１】
0003209428.tif 000003
【図２】
0003209428.tif 000004
【図３】
0003209428.tif 000005
【図４】
0003209428.tif 000006
【図５】
0003209428.tif 000007
(57)【要約】      （修正有）【課題】ピアス装飾部の交換を短時間で簡単にできる様にして、ピアス交換の手間を減らすことができるピアスを提供する。【解決手段】ピアスのポスト３と装飾部２に引掛け部５を設け、着脱が短時間で簡単にできる様にしてピアスの交換の面倒臭さを解決している。【選択図】図１
0003209422.tif 000002
【実用新案登録請求の範囲】
【請求項１】
引掛け部を備えた装飾部本体と、被引掛け部を持ったポスト部よりなるピアス。
【請求項２】
引掛け部の一端部に抜け留め防止用のキャッチャーを備えた請求項１記載のピアス。
【考案の詳細な説明】
【技術分野】
【０００１】本考案は、装飾部が交換可能なピアスに関するものである。
【背景技術】
【０００２】ピアスを付ける時には装飾部とポストが一体になっているので装飾部に固着しているポストをピアスホールにいれる必要があった。なおかつピアスホールを通したポストにキャッチャーを付けなければならない。ピアスを外す時には装飾部の付いたポストからキャッチャーを外し装飾部の付いたポストをピアスホールから抜く必要があった。ピアスを交換する度に同じ動作を繰り返さなければならず、それが非常に面倒であった。
【先行技術文献】
【特許文献】
【０００３】
【特許文献１】特開平９−８４６１０
【考案の概要】
【考案が解決しようとする課題】
【０００４】ピアスの着け外しは手間と時間がかかる為、交換したくても面倒になっていた。そこで面倒なポストの着脱はしなくても装飾部だけ短時間で手軽に交換できる様にするものである。
【課題を解決するための手段】
【０００５】本考案は、ピアスのポストに被引掛け部を設けると共に、装飾部に引掛け部を設ける事によって、装飾部の交換が短時間で簡単にできる様にした。
そのためピアス交換の面倒臭さも解決している。
【考案の効果】
【０００６】上述の様に、本考案のポストを付けたままで装飾部の取り換えが出来るため、ピアス交換の手間を省くことが出来る。
【図面の簡単な説明】
【０００７】
【図１】耳たぶに本考案のピアスを取り付けた状態を示す図
【図２】本考案の装飾部を示す全体図
【図３】ポスト部を示す斜視図
【図４】装飾部を示す全体図
【図５】ポスト部を示す斜視図
【考案を実施するための形態】
【０００８】  ピアスのポスト先端部は被引掛け部の形にし、装飾部には引掛け部を設ける。被引掛け部付のポストに引掛け部付の装飾部を引掛けることによりピアスが完成する。
【実施例】
【０００９】図１は耳たぶ１０に１のピアスを取付けた図でありそのピアス１は装飾部２とポスト３を有し、そのポスト３の先端には菱型の被引掛け部６が固着されている。４はポスト３を耳たぶ１０に付けた時に抜け出るのを防止する為の第１のキャッチャーである。５は図２に示すように装飾部２に固着された引掛け部であるチェーンである。
７は被引掛け部からチェーンが抜け出るのを防止する為の第２のキャッチャーである。第２のキャッチャー７はチェーンを取付けた後につける。
実施例は被引掛け部を菱型で説明したがその形状はリング状でも長方形でも正方形でも多角形でも良い。
実施例はチェーンで説明したが、Ｕ字型でも良いし、第２のキャッチャーの代りにもう一つの装飾部として被引掛け部を通る形なら何でもよい。
図４に示すように、装飾部１２に輪状の引掛け部５を付け、その引掛け部を図５の被引掛け部１６に引掛ける事で、被引掛け部を抜け止めとして利用する事も可能。また図４の引掛け部１５を耳たぶ１０とキャッチャー４の間に着けても良い。
図３に示すように花柄の装飾部２の裏には引掛け部であるチェーン５が取付けてある。チェーン５の先を被引掛け部６に通して装飾部２が被引掛け部６で止まるまで通す。通し終わったらチェーンの先にキャッチャーを着ける。
ピアスの形状は、装飾部を交換出来るならどの様な形状でも良い。
【符号の説明】
【００１０】  １  ピアス本体
２  装飾部
３  ポスト
４  第１のキャッチャー
５  引掛け部
６  被引掛け部
７  第２のキャッチャー
１２  装飾部
１３  ポスト
１５  引掛け部
１６  被引掛け部
【図１】
0003209422.tif 000003
【図２】
0003209422.tif 000004
【図３】
0003209422.tif 000005
【図４】
0003209422.tif 000006
【図５】
0003209422.tif 000007
(57)【要約】      （修正有）【課題】ペットボトルの簡易的再利用による長期間効果的な害獣忌避材を提供する。【解決手段】ペットボトルの胴部分から切り出した片を材質としていて、一方の側に１箇所のＶ字状の先端部を備え、他方の側に２箇所のＶ字状の先端部を備えている。他方の側の２箇所のＶ字状の先端部の間にＸ字状の切り込み部１を備え、当該Ｘ字状の切り込み部１は電線等の線部材を引っ掛ける機能を備えている。【選択図】図２
0003209482.tif 000002
【実用新案登録請求の範囲】
【請求項１】
ペットボトルの簡易的な再利用による、先端部を持つ形状の効果的な害獣忌避材。
【請求項２】
対象害獣の体に引っ掛かり易いという効果を発揮し、電線などに引っ掛ける事により「棘」としての使用をも可能とする、Ｘ字状の切れ込みを持つ請求項１の害獣忌避材。
【考案の詳細な説明】
【技術分野】
【０００１】  本考案は、ペットボトルの簡易的再利用による長期間効果的な害獣忌避材、という方法に関するものである。
【背景技術】
【０００２】  従来のペットボトルの再利用は、溶解し再成形するという方法が殆どである。【０００３】  従来の害獣対策は、殺生、もしくは忌避、という方法が殆どである。
【先行技術文献】
【考案の概念】
【考案が解決しようとする課題】
【０００４】  しかしながら
、従来の方法では、以下の課題がある。
【０００５】  ペットボトルを溶解、再成形する必要がある。
【０００６】  害獣殺生方法では、死体が腐敗する以前に始末する必要がある。感情的に、また、人道的にも問題がある。さらに、罠の数が限られ、回避され易い。
【０００７】  従来の害獣忌避方法は、対象害獣の慣れ、知恵、さらに忌避材の使用時間により効果が無くなってしまう事が多い。
【０００８】  そこで、本考案は、ペットボトルを簡易に再利用し、害獣を長期間効果的に忌避する先端部を持つ形状の忌避材、という方法を提供することを目的とする。
【課題を解決するための手段】
【０００９】  そして、上記目的を達成するために、本考案は、ペットボトルを簡易的に再利用した、長期間効果的な害獣忌避材、という方法を特徴とする。
【００１０】  本考案において、ペットボトルの溶解、再成形という工程は不必要で、克つ無駄の少ないペットボトルの再利用が可能である。
【００１１】  本考案における害獣忌避材は、Ｖ字状で、三箇所の尖った先端が対象害獣を突き刺し、反っている事により安易にばら撒かれても効果を発揮する。また、Ｘ字状の切れ込みは、対象害獣の体に引っ掛かり易いという効果を発揮する。さらに、このＸ字状の切れ込みは、電線などに引っ掛ける事により「棘」としての使用を可能とする。
【００１２】  本考案における害獣忌避材は、殺生を目的とせず、長期間効果的に害獣を忌避する。また、簡単に多数製作でき、広範囲に散布することが容易である。
【考案の効果】
【００１３】  上述したように本考案の害獣忌避材は、ペットボトルを簡易的に再利用し、害獣の殺生を目的とせず、長期間効果的に害獣を忌避する方法を提供する。
【図面の簡単な説明】
【００１４】
【図１】本考案の、ペットボトルより切り出す際の概略図。
【図２】本考案の、１個体の概略図。
【考案を実施するための形態】
【００１５】  以下、本考案の一実施形態を、図に基づいて説明する。
【００１６】  図においては、１はＸ字状の切れ込み。
【００１７】  以下、上記構成の動作を説明する。
【００１８】  始めに、ペットボトルの胴の部分を螺旋状もしくはリング状に切り出し、帯状にする（対象害獣により幅を選ぶ。マウス用で１センチ程度）。図１、この帯からＶ字状に連続して切り出す。この際同時に、Ｘ字状の切れ込み１を入れる。
【００１９】  図２の本考案の害獣駆除材を必要数、対象害獣の進路となる場所に設置する。
【符号の説明】
【００２０】  １    Ｘ字状の切れ込み
【図１】
0003209482.tif 000003
【図２】
0003209482.tif 000004
【手続補正書】
【提出日】平成28年12月21日(2016.12.21)
【手続補正１】
【補正対象書類名】実用新案登録請求の範囲
【補正対象項目名】全文
【補正方法】変更
【補正の内容】
【実用新案登録請求の範囲】
【請求項１】
ペットボトルの胴部分から切り出した片を材質としていて、
一方の側に１箇所のＶ字状の先端部を備え、
他方の側に２箇所のＶ字状の先端部を備えている、
ことを特徴とする、害獣忌避材。
【請求項２】
前記他方の側の２箇所のＶ字状の先端部の間にＸ字状の切り込み部（１）を備え、当該Ｘ字状の切り込み部（１）は電線等の線部材を引っ掛ける機能を備えていることを特徴とする、請求項１に記載された害獣忌避材。
(57)【要約】      （修正有）【課題】子供はサンダルでも走り回るため、肌の弱い子によってはサンダルのかかとベルトの擦れで、擦り傷が出来てしまう事がある。本考案は、それを防ぐかかとの擦り傷防止布を提供する。【解決手段】型崩れのしにくい内側生地１と肌当たりの良い外側生地２を縫い合わせ、内側生地の端にフック状面ファスナー３を、外側生地の端にループ状面ファスナー４を縫いとめ、サンダルのかかと部分のベルトに巻き留めてクッション性を与えるようにした。【選択図】図１
0003209484.tif 000002
【実用新案登録請求の範囲】
【請求項１】
サンダルのかかと部分のベルトに巻き留められるようにした擦り傷防止布。
【考案の詳細な説明】
【技術分野】
【０００１】  本考案は、子供用サンダルのかかとベルトに巻き付けるサンダル擦れ防止布に関するものである。
【背景技術】
【０００２】  従来、子供用サンダルのかかと部分のベルトには厚みのあるクッション素材は使用されていない。
鼻緒の擦れ防止を目的とした鼻緒擦れ防止具も知られている（特許文献１参照）。
又、履物のかかと内側に擦れ防止のシールを貼った先行技術も知られている（特許文献２参照）。
【先行技術文献】
【特許文献】
【０００３】
【特許文献１】  実登３１０６２５８号公報
【特許文献２】  特開２０１１−０３６５６１号公報
【考案の概要】
【考案が解決しようとする課題】
【０００４】  子供はサンダルでも走り回るため、肌の弱い子によってはサンダルのかかとベルトの擦れで擦り傷になってしまう事がある。
本考案は、上記の問題点を解決するためになされたものである。
【課題を解決するための手段】
【０００５】  かかとベルト部分に肌当たりの良い素材の布を巻き付け、クッション性を与える。
【考案の効果】
【０００６】  かかとベルトの擦れによる肌ダメージを軽減し、擦り傷を防止する。
【図面の簡単な説明】
【０００７】
【図１】本考案の斜視図
【図２】本考案の使用状態を示す斜視図
【考案を実施するための形態】
【０００８】  以下、本考案の実施の形態を説明する。
形崩れのしにくい内側生地（１）と肌当たりの良い外側生地（２）を縫い合わせ、内側生地（１）の端にフック状面ファスナー（３）を、外側生地（２）の端にループ状面ファスナー（４）を縫いとめる。
本考案は以上のような構造である。
本考案を使用する時は、サンダルのかかとベルト部分に内側生地（１）が内側になるように巻き付け、フック状面ファスナー（３）とループ状面ファスナー（４）を留めて固定する。
【符号の説明】
【０００９】１  内側生地、２  外側生地、３  フック状面ファスナー、４  ループ状面ファスナー
【図１】
0003209484.tif 000003
【図２】
0003209484.tif 000004
【手続補正書】
【提出日】平成28年12月27日(2016.12.27)
【手続補正１】
【補正対象書類名】実用新案登録請求の範囲
【補正対象項目名】全文
【補正方法】変更
【補正の内容】
【実用新案登録請求の範囲】
【請求項１】
型崩れのしにくい内側生地（１）と肌当たりの良い外側生地（２）を縫い合わせ、内側生地（１）の端にフック状面ファスナー（３）を、外側生地（２）の端にループ状面ファスナー（４）を縫いとめることでサンダルのかかと部分のベルトに巻き留められるようにしたことを特徴とする擦り傷防止布。
(57)【要約】      （修正有）【課題】お灸の台座であって、皮膚からの蒸散熱を逃し快適に施灸することができる台座を提供する。【解決手段】紙の層を圧縮した台座から鋳型形成の台座を採用し、お灸の台座に溝１を設けて空気循環を可能にした。【選択図】図３
0003209486.tif 000002
【実用新案登録請求の範囲】
【請求項１】
お灸の台座に溝を設けて空気循環を可能にした鋳型形成の台座。
【考案の詳細な説明】
【考案の詳細な説明】
【考案が解決しようとする課題】
【０００１】    従来、台座が紙板の台座灸の場合、台座と皮膚の間の空間が密閉され空気の換気がないことから空気の循環が阻まれ温度の上昇に時間がかかっていた。また、皮膚からの蒸気がこもり不快感を有していた。
【課題を解決するための手段】
【０００２】    上記の問題を解決するために、鋳型形成の台座によりお灸の台座に溝を設けて空気循環を可能にした。
【考案の効果】
【０００３】    台座下部の溝により、快適な温度帯までの上昇時間を大幅に短縮することができ、皮膚からの蒸散熱を逃がし快適に施灸することができる。
【図面の簡単な説明】
【０００４】
【図１】  台座灸の正面上部斜図である。
【図２】  台座灸の正面図である。
【図３】  台座灸の裏面平面図である。
【符号の説明】
【０００５】  １  台座の溝
【図１】
0003209486.tif 000003
【図２】
0003209486.tif 000004
【図３】
0003209486.tif 000005
(57)【要約】      （修正有）【課題】伸縮素材で作り、安全で練習の上達も早く、日常運動用具として、安全に使用出来るヌンチャクを提供する。  【解決手段】二本の棒２の端部間を伸縮素材でなる接続ヒモ３で、接続したヌンチャク１である。また、二本の棒２を、接続ヒモ３と同じ伸縮素材で構成してもよい。【選択図】図１
0003209490.tif 000002
【実用新案登録請求の範囲】
【請求項１】
二本の棒の端部間を伸縮素材でなる接続ヒモで、接続したことを特徴とするヌンチャク。
【請求項２】
前記二本の棒が、縮素材で構成されていることを特徴とした請求項１記載のヌンチャク。
【考案の詳細な説明】
【技術分野】
【０００１】
日常運動用具として使用でき、安全に使用できるヌンチャクに関する。
【背景技術】
【０００２】
種々の運動に使用できる安全なヌンチャクが求められている。
【考案の概要】
【考案が解決しようとする課題】
【０００３】
従来、ヌンチャクは、武具として使用していたが、練習中に打撲したり、ケガをして危険であった。また、ヌンチャクの２つの棒は、硬いので怪我をすることが多かった。また、２つの棒の間を伸ばすことができず、運動の仕方は限られていた。
【課題を解決するための手段】
【０００４】
二本の棒の端部間を伸縮素材でなる接続ヒモで、接続したことを特徴とするヌンチャクである。
【０００５】
前記二本の棒を、接続ヒモと同じ伸縮素材で構成されていることを特徴としたヌンチャクである。
【考案の効果】
【０００６】
ヌンチャクは伸ばすことができるので、種々の運動などに適用でき、安全なヌンチャクを提供する。
【図面の簡単な説明】
【０００７】
【図１】本願発明のヌンチャクの構成
【考案を実施するための形態】
【０００８】
本願発明は、伸縮するヌンチャクに関するものである。図１に本願発明のヌンチャクの構成を示す。
ヌンチャク１は、手で握る２つの棒２と、その棒の一つの端部間を接続する連結ヒモ３からなり、連結ヒモは、ゴム、合成樹脂などの伸び縮みができる柔らかい伸縮素材で構成している。
【産業上の利用可能性】
【０００９】
安全で、種々の運動ができるヌンチャクを提供する。 
【符号の説明】
【００１０】
１  ヌンチャク
２  棒
３  接続ヒモ
【図１】
0003209490.tif 000003
【手続補正書】
【提出日】平成29年1月18日(2017.1.18)
【手続補正１】
【補正対象書類名】実用新案登録請求の範囲
【補正対象項目名】全文
【補正方法】変更
【補正の内容】
【実用新案登録請求の範囲】
【請求項１】
二本の棒の端部間を伸縮素材でなる接続ヒモで、接続したことを特徴とするヌンチャク。
【請求項２】
前記の二本の棒が、前記伸縮素材で構成されていることを特徴とする請求項１記載のヌンチャク。